(57)【要約】【課題】躯体の開口部に発泡性樹脂を用いてサッシ枠を固定するに際して、該サッシ枠の離脱・落下を簡易且つ安価な構成で確実に防止できるサッシ枠の固定方法を提案する。【解決手段】躯体３の開口部４内に、左右両側面に溝部２が設けられたサッシ枠１を固定するに際し、開口部４の側壁面４ｃに、該開口部４の内方へ突出する耐熱性の係止部材１０を設け、上記サッシ枠１を上記開口部４内に嵌装して該サッシ枠１の上記各溝部２に上記係止部材１０を進入させ、しかる後、上記開口部４と上記サッシ枠１との間の空間部に発泡性樹脂を充填して発泡硬化させる。係る構成によれば、例えば、火災により発泡性樹脂が溶融した場合でも、上記サッシ枠１は上記係止部材１０と上記溝部２との係合により上記開口部４からの離脱及び落下が防止され、火災時における安全性が確保される。【選択図】図２
2015214860.tif 000002
【特許請求の範囲】
【請求項１】
躯体に設けられた略矩形の開口部内に、窓または扉のサッシ枠であってその左右両側面にサッシ高さ方向に延びる溝部が設けられたサッシ枠を固定するサッシ枠の固定方法であって、
上記開口部の少なくとも左右の側壁面の上部寄り位置に、該開口部の内方へ突出する耐熱性の係止部材をそれぞれ設け、
上記サッシ枠を上記開口部内に嵌装して該サッシ枠の上記各溝部を上記開口部の左右の側壁面にそれぞれ対向させた後、上記各係止部材の少なくとも一方を屈曲変形させて開口部内方への突出量を増加させることで上記各係止部材を上記サッシ枠の上記各溝部内にそれぞれ進入させ、
しかる後、上記開口部と上記サッシ枠との間の空間部の略全域に発泡性樹脂を充填して発泡硬化させることで上記サッシ枠を上記開口部内に固定することを特徴とするサッシ枠の固定方法。
【請求項２】
請求項１において、
上記係止部材の少なくとも一方を、上記サッシ枠の上記開口部への嵌装時には開口部内方への突出量を減じるように屈曲変形させて上記サッシ枠との干渉を回避させる一方、上記開口部への上記サッシ枠の嵌装後においては上記開口部内方への突出量を増加させるように屈曲変形させることを特徴とするサッシ枠の固定方法。
【請求項３】
躯体に設けられた略矩形の開口部内に、窓または扉のサッシ枠であってその左右両側面にサッシ高さ方向に延びる溝部が設けられたサッシ枠を固定するサッシ枠の固定方法であって、
上記開口部の少なくとも左右の側壁面の上部寄り位置に、該側壁面側を枢支点として該側壁面から開口部内方側へ展開可能とされた耐熱性の係止部材をそれぞれ設けるとともに、これら各係止部材を上記開口部の側壁面寄りに収納して開口部内方への突出量を減少させた状態で保持し、
しかる後、上記サッシ枠を上記開口部内に嵌装して該サッシ枠の上記各溝部を上記開口部の左右の側壁面にそれぞれ対向させた後、上記各係止部材を開口部内方側へ展開させて該開口部内方への突出量を増加させることで上記各係止部材をそれぞれ上記サッシ枠の各溝部内に進入させ、
次いで、上記開口部と上記サッシ枠との間の空間部の略全域に発泡性樹脂を充填して発泡硬化させることで上記サッシ枠を上記開口部内に固定することを特徴とするサッシ枠の固定方法。
【請求項４】
躯体に設けられた略矩形の開口部内に、窓または扉のサッシ枠であってその左右両側面にサッシ高さ方向に延びる溝部が設けられたサッシ枠を固定するサッシ枠の固定方法であって、
上記開口部の左右の側壁面のうちの何れか一方の側壁面の上部寄り位置には該開口部の内方へ突出する耐熱性の係止部材を、何れか他方の側壁面の上部寄り位置には該側壁面側を枢支点として該側壁面から開口部内方側へ展開可能とされた耐熱性の係止部材を、それぞれ設け、
上記サッシ枠を上記開口部内に嵌装して該サッシ枠の上記各溝部を上記開口部の左右の側壁面にそれぞれ対向させた後、上記一方の側壁面に設けられた上記係止部材は、これを屈曲変形させて開口部内方への突出量を増加させて、或いは屈曲変形させることなく上記サッシ枠の上記溝部内に進入させるとともに、上記他方の側壁面に設けられた上記係止部材は、これを開口部内方側へ展開させて該開口部内方への突出量を増加させることで上記サッシ枠の各溝部内に進入させ、
しかる後、上記開口部と上記サッシ枠との間の空間部の略全域に発泡性樹脂を充填して発泡硬化させることで上記サッシ枠を上記開口部内に固定することを特徴とするサッシ枠の固定方法。
【請求項５】
躯体に設けられた略矩形の開口部内に、窓または扉のサッシ枠であってその左右両側面にサッシ高さ方向に延びる溝部が設けられたサッシ枠を固定するサッシ枠の固定方法であって、
上記開口部の少なくとも左右の側壁面の上部寄り位置に、開口部内方へ突出する耐熱性の係止部材をそれぞれ設け、
上記サッシ枠をその幅方向の中心線を軸として捩り変形させた状態で上記開口部内に嵌装し、該サッシ枠の上記各溝部内に上記各係止部材をそれぞれ進入させた後、該サッシ枠を略原形に復帰させ、
しかる後、上記開口部と上記サッシ枠との間の空間部の略全域に発泡性樹脂を充填して発泡硬化させることで上記サッシ枠を上記開口部内に固定することを特徴とするサッシ枠の固定方法。
【発明の詳細な説明】
【技術分野】
【０００１】
本願発明は、例えば、建物のコンクリート壁面等の躯体に設けられた略矩形の開口部内に、窓とか扉のサッシ枠を固定する方法に関するものである。
【背景技術】
【０００２】
一般に、建物壁面等に設けられた略矩形の開口部に窓を取り付ける場合、先ず上記開口部に矩形枠状に形成された窓枠を固定し、しかる後、この窓枠に窓本体を組み付けるようになっている。
【０００３】
ところで、例えば、建物のリホーム時等においては、既設の窓を新たな窓に交換して改装することも行われるが、係る場合の工法としては、既設の窓枠を取り除くことなくそのまま残存させ、この残存する既設窓枠に対して、新たな窓枠を溶接等によって固定し、この新たな窓枠に対して新たな窓本体を取り付ける工法が一般的である（例えば、特許文献１参照）。
【０００４】
ところが、このように既存の窓枠に新設の窓枠を固定する手法によれば、その構造上、新設の窓枠は既設の窓枠よりも小さなものとしなければならないことから、建物壁面の開口部と新設の窓枠との間に不可避的に隙間が生じることになる。この隙間を解消する方法として、特許文献１では、新設窓枠の室外側外周面に外部アタッチメントを配置し、これによって上記隙間を塞いで気密性を確保するようにしている。
【０００５】
しかしながら、この外部アタチメントは鉄板製の剛体構造であって事後的な形状寸法の微調整が困難であることから、例えば、既設の窓枠とかその周囲の躯体等に歪とか撓み変形が生じているような場合には、この歪とか撓み変形に合わせて新設窓枠を制作しなければならず、作業性、コスト面等において問題がある。
【０００６】
このような背景から、特許文献２においては、既設窓枠と新設窓枠をフラットバーとかアングルなどの治具により固定し、この固定状態において、既設窓枠と新設窓枠の隙間部分に発泡ウレタンを充填する工法が提案されている。
【０００７】
このように既設窓枠と新設窓枠の隙間部分に発泡ウレタンを充填する工法によれば、既設の窓枠とかその周囲の躯体等の歪とか撓み変形が生じていてもこれに影響されることなく上記隙間を確実に閉塞してその気密性を確保することができ、例えば、特許文献１に示されるような従来工法に比して、作業性とかコスト面において有利である。一方、発泡ウレタンには熱溶融という問題があり、例えば建物の火災時においては、発泡ウレタンが火災熱を受けて溶融することも考えられるが、上述のように既設窓枠と新設窓枠をフラットバーとかアングルなどの治具により固定していることから、例え発泡ウレタンが溶融したとしても、新設窓枠と既設窓枠の連結状態は維持され、該新設窓枠が既設窓枠から離脱して落下するということが確実に回避され、火災時等における安全性が担保される。
【０００８】
即ち、既設窓枠に新設窓枠を治具によって固定することと、既設窓枠と新設窓枠との隙間に発泡ウレタンを充填することの相乗効果によって、窓枠部分の気密性等の窓本来の機能の確保と火災時における安全性の確保とが両立されるものである。
【先行技術文献】
【特許文献】
【０００９】
【特許文献１】特開平９−１３７９７号公報
【特許文献２】特開２０１０−１５６１９３号公報
【発明の概要】
【発明が解決しようとする課題】
【００１０】
ところが、例えば、新築の建物に窓枠を取り付けるような場合には、窓の改装時のように建物側の開口部に既設窓枠が存在していないので、既設窓枠に新設窓枠を固定することはできない。このため、係る場合には、例えば、開口部内にその内周との間に所定に隙間を確保した状態で窓枠を仮置き支持し、しかる後、該開口部と窓枠の間の隙間に発泡ウレタンを充填し、該発泡ウレタンによって窓枠を開口部側に固定するとともに該開口部と窓枠との気密性等を確保する工法が採られる。
【００１１】
しかし、このように開口部の内周と窓枠の間の隙間に直接発泡ウレタンを充填する工法によれば、平時には発泡ウレタンによって窓枠部分の気密性が確保されるとともに窓枠の開口部側への固定保持状態が維持されるため問題はないが、例えば、建物に火災が発生したような場合には、高温の火災熱によって発泡ウレタンが溶融して該発泡ウレタンによる窓枠の保持機能が消滅し、該窓枠が開口部から外れて落下することが懸念され、火災時等における安全性の確保という点において問題がある。
【００１２】
そこで本願発明は、躯体の開口部に発泡性樹脂を用いてサッシ枠を固定するに際して、該サッシ枠の離脱・落下を簡易且つ安価な構成で確実に防止できるサッシ枠の固定方法を提案する。
【課題を解決するための手段】
【００１３】
本願発明ではかかる課題を解決するための具体的手段として次のような構成を採用している。
【００１４】
本願の第１の発明では、躯体に設けられた略矩形の開口部内に、窓または扉のサッシ枠であってその左右両側面にサッシ高さ方向に延びる溝部が設けられたサッシ枠を固定するに際し、上記開口部の少なくとも左右の側壁面の上部寄り位置に、該開口部内方へ突出する耐熱性の係止部材をそれぞれ設け、この状態で、上記サッシ枠を上記開口部内に嵌装して該サッシ枠の上記各溝部を上記開口部の左右の側壁面にそれぞれ対向させた後、上記各係止部材の少なくとも一方を屈曲変形させて開口部内方への突出量を増加させることで上記各係止部材を上記サッシ枠の上記各溝部内にそれぞれ進入させ、しかる後、上記開口部と上記サッシ枠との間の空間部の略全域に発泡性樹脂を充填して発泡硬化させることで上記サッシ枠を上記開口部内に固定することを特徴としている。
【００１５】
ここで、上記サッシ枠は、窓枠のみならず、扉枠等の他の建具の枠体を含む概念である。また、躯体は、一般的なコンクリート製の壁や柱等のみならず、軽量気泡コンクリート（ＡＬＣ）製、金属製、その他の複合材料からなる壁や柱等を含む概念である。
【００１６】
また、上記開口部の左右の側壁面に設けられる上記係止部材は、上記開口部に上記サッシ枠を嵌装する時点においては、該サッシ枠の両側面と干渉しないように開口部内方への突出量が初期設定されており、またこの初期設定状態からこれを屈曲変形させることで開口部内方への突出量を増加させることができるように構成される。
【００１７】
本願の第２の発明では、上記第１の発明に係るサッシ枠の固定方法において、上記係止部材の少なくとも一方を、上記サッシ枠の上記開口部への嵌装時には開口部内方への突出量を減じるように屈曲変形させて上記サッシ枠との干渉を回避させる一方、上記開口部への上記サッシ枠の嵌装後においては上記開口部の内方への突出量を増加させるように屈曲変形させることを特徴としている。
【００１８】
ここで、上記係止部材は、上記開口部の側壁面への取付時点における開口部内方への突出量が、上記開口部に上記サッシ枠を嵌装するとき該サッシ枠に干渉するような大きさに設定されていることを前提としており、必要に応じて、これを屈曲変形させて開口部内方への突出量を増減調整するものである。
【００１９】
本願の第３の発明では、躯体に設けられた略矩形の開口部内に、窓または扉のサッシ枠であってその左右両側面にサッシ高さ方向に延びる溝部が設けられたサッシ枠を固定するに際し、上記開口部の少なくとも左右の側壁面の上部寄り位置に、該側壁面側を枢支点として該側壁面から開口部内方側へ展開可能とされた耐熱性の係止部材をそれぞれ設けるとともに、これら各係止部材を上記開口部の側壁面寄りに収納して開口部内方への突出量を減少させた状態で保持し、しかる後、上記サッシ枠を上記開口部内に嵌装して該サッシ枠の上記各溝部を上記開口部の左右の側壁面にそれぞれ対向させた後、上記各係止部材を開口部内方側へ展開させてその突出量を増加させることで上記各係止部材をそれぞれ上記サッシ枠の各溝部内に進入させ、次いで、上記開口部と上記サッシ枠との間の空間部の略全域に発泡性樹脂を充填して発泡硬化させることで上記サッシ枠を上記開口部内に固定することを特徴としている。
【００２０】
本願の第４の発明では、躯体に設けられた略矩形の開口部内に、窓または扉のサッシ枠であってその左右両側面にサッシ高さ方向に延びる溝部が設けられたサッシ枠を固定するに際し、上記開口部の左右の側壁面のうちの何れか一方の側壁面の上部寄り位置には該開口部の内方へ突出する耐熱性の係止部材を、何れか他方の側壁面の上部寄り位置には該側壁面側を枢支点として該側壁面から開口部内方側へ展開可能とされた耐熱性の係止部材を、それぞれ設け、上記サッシ枠を上記開口部内に嵌装して該サッシ枠の上記各溝部を上記開口部の左右の側壁面にそれぞれ対向させた後、上記一方の側壁面に設けられた上記係止部材は、これを屈曲変形させて開口部内方への突出量を増加させて、或いは屈曲変形させることなく上記サッシ枠の上記溝部内に進入させるとともに、上記他方の側壁面に設けられた上記係止部材は、これを開口部内方側へ展開させて該開口部内方への突出量を増加させることで上記サッシ枠の上記溝部内に進入させ、しかる後、上記開口部と上記サッシ枠との間の空間部の略全域に発泡性樹脂を充填して発泡硬化させることで上記サッシ枠を上記開口部内に固定することを特徴としている。
【００２１】
本願の第５の発明では、躯体に設けられた略矩形の開口部内に、窓または扉のサッシ枠であってその左右両側面にサッシ高さ方向に延びる溝部が設けられたサッシ枠を固定するに際し、上記開口部の少なくとも左右の側壁面の上部寄り位置に、開口部内方へ突出する耐熱性の係止部材をそれぞれ設け、この状態で、上記サッシ枠をその幅方向の中心線を軸として捩り変形させた状態で上記開口部内に嵌装し、該サッシ枠の上記各溝部内に上記各係止部材をそれぞれ進入させた後、該サッシ枠を略原形に復帰させ、しかる後、上記開口部と上記サッシ枠との間の空間部の略全域に発泡性樹脂を充填して発泡硬化させることで上記サッシ枠を上記開口部内に固定することを特徴としている。
【００２２】
ここで、上記係止部材の上記開口部の側壁面への取付時点における開口部内方への突出量は、上記開口部内に上記サッシ枠を嵌装した状態において上記係止部材が上記サッシ枠の上記溝部内に進入し得るような大きさに設定され、且つそのまま保持されるものであって、事後的にこの突出量が変更されることはない。
【発明の効果】
【００２３】
本願発明では次のような効果が得られる。
【００２４】
（ａ）本願の第１の発明
本願の第１の発明に係るサッシ枠の固定方法によれば、上記サッシ枠の上記開口部内への嵌装状態においては、上記開口部の少なくとも左右の側壁面の上部寄り位置に設けた耐熱性の係止部材が上記サッシ枠の左右両側面に設けた溝部内に進入しており、該サッシ枠がその厚さ方向（窓の内外方向）へ移動する場合には該係止部材が上記溝部の幅方向の両側に位置する側壁部に係合し、該サッシ枠のそれ以上の移動が規制されるようになっている。
【００２５】
したがって、上記サッシ枠と上記開口部との空間部に発泡性樹脂を充填し且つこれを発泡硬化させて該発泡性樹脂によって該サッシ枠を該開口部側に固定保持した状態において、例えば、建物の火災によって、上記発泡性樹脂が溶融して上記サッシ枠に対する固定保持機能が消滅した場合、該サッシ枠は発泡性樹脂の溶融進行に伴って自重降下し、上記開口部の下側内面上に当接することでそれ以上の降下が阻止されるとともに、上記サッシ枠の上部寄り位置においては上記係止部材と上記溝部の側壁部との係合による移動規制作用によってサッシ枠の厚さ方向への移動（傾動）が規制され、これらの相乗効果として、上記サッシ枠は上記開口部からの離脱及び落下が確実に防止され、火災時における安全性が確保される。
【００２６】
また、上記係止部材は、上記開口部に上記サッシ枠を嵌装する時点においては、該サッシ枠の両側面と干渉しないように開口部内方への突出量が初期設定されていることから、上記サッシ枠を上記開口部内にそのまま嵌装し、嵌装後において上記係止部材を屈曲変形させて開口部内方への突出量を増加させる作業のみによって、上記発泡性樹脂の溶融時における上記サッシ枠の厚さ方向への移動規制機能を実現することができ、例えば、上記サッシ枠の上記開口部内への嵌装操作の前後において上記係止部材の屈曲変形操作が必要である場合に比して、サッシ枠固定作業の簡易化が促進される。
【００２７】
（ｂ）本願の第２の発明
本願の第２の発明に係るサッシ枠の固定方法によれば、上記（ａ）に記載の効果に比して、以下のような特有の効果が得られる。即ち、この発明のサッシ枠の固定方法では、上記係止部材の少なくとも一方を、上記サッシ枠の上記開口部への嵌装時には開口部内方への突出量を減じるように屈曲変形させて上記サッシ枠との干渉を回避させる一方、上記開口部への上記サッシ枠の嵌装後においては上記開口部の内方への突出量を増加させるように屈曲変形させるようにしているので（即ち、事後的に突出量の増減調整を行えるので）、該サッシ枠の上記開口部側への取り付けに際しては、上記サッシ枠の嵌装時及び嵌装後における係止部材の開口部の内方への突出量をさほど気にすることなく、主として係止部材の取付作業のし易さに主眼をおいて該係止部材の取付方向を任意に設定することができ、それだけサッシ枠の固定作業における作業の簡便化、作業性の向上が図られる。
【００２８】
（ｃ）本願の第３の発明
本願の第３の発明に係るサッシ枠の固定方法によれば、上記サッシ枠の上記開口部内への嵌装状態においては、上記開口部の少なくとも左右の側壁面の上部寄り位置に設けた耐熱性の係止部材が、開口部内方への突出量を増加させるように展開して上記サッシ枠の各溝部内に進入しており、該サッシ枠がその厚さ方向（窓の内外方向）へ移動する場合には該係止部材が上記溝部の幅方向の両側に位置する側壁部に係合し、該サッシ枠のそれ以上の移動が規制されるようになっている。
【００２９】
したがって、上記サッシ枠と上記開口部との空間部に発泡性樹脂を充填し且つこれを発泡硬化させて該発泡性樹脂によって該サッシ枠を該開口部側に固定保持した状態において、例えば、建物の火災によって、上記発泡性樹脂が溶融して上記サッシ枠に対する固定保持機能が消滅した場合、該サッシ枠は発泡性樹脂の溶融進行に伴って自重降下し、上記開口部の下側内面上に当接することでそれ以上の降下が阻止されるとともに、上記サッシ枠の上部寄り位置においては上記係止部材と上記溝部の側壁部との係合による移動規制作用によってサッシ枠の厚さ方向への移動（傾動）が規制され、これらの相乗効果として、上記サッシ枠は上記開口部からの離脱及び落下が確実に防止され、その結果、火災時における安全性が確保されるものである。
【００３０】
また、上記係止部材は、上記開口部の側壁面側を枢支点として該側壁面から開口部内方側へ展開可能とされ、開口部内方への突出量の調整は上記側壁面側への収納操作と開口部内方への展開操作によって行われることから、例えば、この開口部内方への突出量の調整を上記係止部材の屈曲変形によって行う場合に比して、突出量の調整操作を小操作力で迅速に行うことができ、それだけサッシ枠の固定作業における作業性が向上する。
【００３１】
（ｄ）本願の第４の発明
本願の第４の発明に係るサッシ枠の固定方法によれば、上記サッシ枠の上記開口部内への嵌装状態においては、上記開口部の一方の側壁面に設けた上記係止部材は、上記サッシ枠の一方の側面に設けた溝部内に進入しており、該サッシ枠がその厚さ方向へ移動する場合には該係止部材が上記溝部の幅方向の両側に位置する側壁部に係合して該サッシ枠のそれ以上の移動を規制する状態となっている。また、上記開口部の他方の側壁面に設けた上記係止部材は、開口部内方への突出量を増加させるように展開して上記サッシ枠の上記溝部内に進入しており、該サッシ枠がその厚さ方向へ移動する場合には該係止部材が上記溝部の幅方向の両側に位置する側壁部に係合し、該サッシ枠のそれ以上の移動を規制する状態となっている。
【００３２】
したがって、上記サッシ枠と上記開口部との空間部に発泡性樹脂を充填し且つこれを発泡硬化させて該発泡性樹脂によって該サッシ枠を該開口部側に固定保持した状態において、例えば、建物の火災によって、上記発泡性樹脂が溶融して上記サッシ枠に対する固定保持機能が消滅した場合、該サッシ枠は発泡性樹脂の溶融進行に伴って自重降下し、上記開口部の下側内面上に当接することでそれ以上の降下が阻止されるとともに、上記サッシ枠の上部寄り位置においては上記各係止部材と上記溝部の側壁部との係合による移動規制作用によってサッシ枠の厚さ方向への移動（傾動）が規制され、これらの相乗効果として、上記サッシ枠は上記開口部からの離脱及び落下が確実に防止され、その結果、火災時における安全性が確保されるものである。
【００３３】
（ｅ）本願の第５の発明
本願の第５の発明に係るサッシ枠の固定方法によれば、上記サッシ枠の上記開口部内への嵌装状態においては、上記開口部の少なくとも左右の側壁面の上部寄り位置に設けた耐熱性の係止部材が上記サッシ枠の左右両側面に設けた溝部内に進入しており、該サッシ枠がその厚さ方向（窓の内外方向）へ移動する場合には該係止部材が上記溝部の幅方向の両側に位置する側壁部に係合し、該サッシ枠のそれ以上の移動が規制されるようになっている。
【００３４】
したがって、上記サッシ枠と上記開口部との空間部に発泡性樹脂を充填し且つこれを発泡硬化させて該発泡性樹脂によって該サッシ枠を該開口部側に固定保持した状態において、例えば、建物の火災によって、上記発泡性樹脂が溶融して上記サッシ枠に対する固定保持機能が消滅した場合、該サッシ枠は、発泡性樹脂の溶融進行に伴って自重降下し、上記開口部の下側内面上に当接することでそれ以上の降下が阻止されるとともに、上記サッシ枠の上部寄り位置においては上記係止部材と上記溝部の側壁部との係合による移動規制作用によってサッシ枠の厚さ方向への移動（傾動）が規制され、これらの相乗効果として、上記サッシ枠は上記開口部からの離脱及び落下が確実に防止され、その結果、火災時における安全性が確保されるものである。
【００３５】
また、この発明では、上記サッシ枠をその幅方向の中心線を軸として捩り変形させた状態で上記開口部内に嵌装し、該サッシ枠の上記各溝部内に上記各係止部材をそれぞれ進入させた後、該サッシ枠を略原形に復帰させる構成であることから、上記係止部材は、その開口部内方への突出量を、上記開口部内に上記サッシ枠を嵌装した状態において上記係止部材が上記サッシ枠の上記溝部内に進入し得るような大きさに当初から設定しておけば良く、事後的にこれを変更する必要はない。したがって、例えば、事後的に上記係止部材の開口部内方への突出量を調整する必要がある場合に比して、サッシ枠の固定作業における作業性が向上する。
【図面の簡単な説明】
【００３６】
【図１】サッシ枠の構造を示す全体斜視図である。
【図２】本願発明の第１の実施形態におけるサッシ枠と躯体に設けられた開口部との相対関係説明図である。
【図３】上記サッシ枠を上記開口部内に仮置き固定した状態を示す斜視図である。
【図４】上記サッシ枠を発泡性樹脂からなる樹脂硬化体によって開口部内に固定した状態を示す斜視図である。
【図５】図４におけるＰ部分の一部破断拡大図である。
【図６】図５のＡ−Ａ断面図である。
【図７】本願発明の第２の実施形態における上記サッシ枠を上記開口部に固定した状態における一部破断拡大図であって、図５に対応するものである。
【図８】図７のＢ−Ｂ断面図である。
【図９】本願発明の第３の実施形態におけるサッシ枠と躯体に設けられた開口部との相対関係説明図である。
【図１０】上記サッシ枠の上記開口部への固定状態における一部破断拡大図であって、図５に対応するものである。
【図１１】図１０のＣ−Ｃ断面図である。
【図１２】本願発明の第４の実施形態におけるサッシ枠を躯体に設けられた開口部に固定した状態における一部破断拡大図である。
【図１３】本願発明の第５の実施形態におけるサッシ枠と躯体に設けられた開口部との相対関係説明図である。
【図１４】上記サッシ枠の上記開口部への嵌装初期における一部破断拡大図である。
【図１５】上記サッシ枠の上記開口部への嵌装完了状態における一部破断拡大図である。
【発明を実施するための形態】
【００３７】
Ａ：第１の実施形態
Ａ−ａ：サッシ枠１
図１には、本願発明に係る固定方法の実施対象となる窓用のサッシ枠１を示している。このサッシ枠１は、所定の断面形状を持つ形材を矩形枠状に組み付けて構成されるものであって、上枠部１ａと下枠部１ｂ及び左右の側枠部１ｃを備え、且つその内側部分は窓本体（図示省略）の装着スペース１ｄとされる。
【００３８】
また、このサッシ枠１は、その両側面、即ち、上記側枠部１ｃの外面に、該サッシ枠１の高さ方向に延びる溝部２を設けている。この溝部２は、上記側枠部１ｃの厚さ方向に所定間隔をもって対向する一対の側壁部２ｂとこれらの間に位置する底面部２ａで構成される。
【００３９】
なお、この実施形態では、上記溝部２を上記各側枠部１ｃの外面のみに設けたものを例示しているが、本願発明はこれに限定されるものでない。即ち、本願発明に係るサッシ枠の固定方法は、上記サッシ枠１の左右の側枠部１ｃの外面に設けられた上記溝部２を利用することで該サッシ枠１の落下防止を実現するものであって、少なくとも上記各側枠部１ｃの外面に上記溝部２が設けられておれば足り、例えば、上記各側枠部１ｃに加えて、上記上枠部１ａ及び下枠部１ｂにも上記溝部２が設けられたものも適用可能である。
【００４０】
そして、上記サッシ枠１は、図２〜図４に示すように、コンクリート壁３（特許請求の範囲中の「躯体」に該当）に設けられた矩形の開口部４内に、本願発明に係る固定方法によって固定される。以下、この固定方法を作業手順に沿って詳述する。
【００４１】
Ａ−ｂ：サッシ枠１の固定作業
Ａ−ｂ−１：開口部４への係止部材１０の取り付け
上記コンクリート壁３に設けられた開口部４には、上記サッシ枠１が、その外周面との間に所定の間隔をもって嵌装される（図３参照）。そして、上記開口部４の左右の側壁面４ｃの上部寄り位置には、上記溝部２の各側壁部２ｂと共働して上記サッシ枠１の落下防止機能を発揮する係止部材１０が取り付けられる（図２、図５、図６参照）。
【００４２】
この実施形態においては、上記係止部材１０として、コンクリートへの打ち込みが可能な釘体５を採用している。この釘体５を上記開口部４の側壁面４ｃの上部寄り位置に所定長さだけ打ち込んで保持させるとともに、その頭部側を該開口部４の内方へ所定量突出させ、この突出部分を屈曲変形させることでその突出量を調整可能している。
【００４３】
即ち、図５に実線図示するように、僅かに斜め上方へ向けて打ち込んだ上記釘体５を、同図に鎖線図示するように下方に屈曲変形させて該釘体５の開口部内方への突出量を当初打ち込み時（実線図示状態）よりも減じて初期突出量に設定する。この初期突出量は、図３、図５に示すように、上記開口部４内に上記サッシ枠１を該開口部４の側壁面４ｃとの間に所定の隙間をもって配置した状態において、該サッシ枠１の上記溝部２の側壁部２ｂと干渉しない突出量である。
【００４４】
なお、この実施形態では、上記開口部４の左右の側壁面４ｃにそれぞれ設けられる上記釘体５の突出量を共に上記初期突出量に設定しているが、本願発明は係る構成に限定されるものではなく、他の実施形態においては、例えば、一方の釘体５についてはその突出量を当初打ち込み時の突出量のまま保持し、他方の釘体５についてのみその突出量を上記初期突出量に設定することも可能である。ただし、この場合には、当初打ち込み時のままの一方の釘体５の突出先端と初期突出量に設定された他方の釘体５の突出先端との間を通して上記サッシ枠１を上記開口部４内に嵌装することが必要である。
【００４５】
Ａ−ｂ−２： サッシ枠１の嵌装作業
先ず、図３に示すように、上記サッシ枠１を上記開口部４内に嵌装する。この場合、上記開口部４の左右の側壁面４ｃにはそれぞれ開口部内方への突出量が上記初期突出量に設定された上記釘体５が取り付けられているので、作業者はこれら左右の釘体５間のスペースを通して上記サッシ枠１を開口部４内に嵌装して該サッシ枠１の上記各溝部２を上記開口部４の左右の側壁面４ｃにそれぞれ対向させる。したがって、この状態では、上記各釘体５は、上記サッシ枠１の溝部２にその側方から臨んだ状態となっている。
【００４６】
なお、この状態では、上記サッシ枠１は、上記開口部４の内面との間に仮置きした適宜の間隔保持材（図示省略）によって上記開口部４の内面との間に所定の隙間をもって仮支持されている。
【００４７】
しかる後、上記各釘体５を、屈曲変形させてその開口部内方への突出量を増加させる。即ち、図５に示すように、鎖線図示状態（即ち、初期突出量）にある釘体５を、同図に実線図示するように上側へ屈曲変形させてこれを上記サッシ枠１の上記溝部２内に進入させる。これで上記サッシ枠１の上記開口部４への嵌装作業が終了する。この状態においては、上記サッシ枠１は上記釘体５が上記溝部２の前後の側壁部２ｂと係合する範囲内においてのみ、その厚さ方向に移動可能とされ、それ以上の移動は規制されることになる。
【００４８】
Ａ−ｂ−３：発泡性樹脂の注入充填作業
先ず、上記サッシ枠１の表裏両面と上記開口部４の内面との間にそれぞれカットテープ等のシーリング材を取り付けて、上記サッシ枠１の外周と上記開口部４の内周の間の空間部９を密封する。
【００４９】
次に、上記シーリング材に樹脂注入口を設け、ここから上記空間部９内に注入ガンを用いて硬質の発泡性樹脂、例えば、２液性の硬質発泡ウレタンを注入する。しかし、この時点では、上記サッシ枠１が上記間隔保持材によって仮支持されているので、これを取り外すために、先ず、上記空間部９の適数か所に硬質発泡ウレタンを少量注入し、これを硬化させてこの硬化樹脂によって上記サッシ枠１を上記開口部４内に仮支持させるとともに、上記間隔保持材を取り外し且つ上記シーリング材を修正する。
【００５０】
しかる後、上記開口部４と上記サッシ枠１との間の空間部９の全域に硬質発泡ウレタンを注入充填してこれを発泡硬化させて樹脂硬化体８とし、この樹脂硬化体８によって上記空間部９を閉塞してその気密性を確保するとともに、上記サッシ枠１を上記開口部４側に固定保持させる（図４〜図６参照）。以上で、上記サッシ枠１の上記開口部４に対する固定作業が完了する。後は、上記サッシ枠１内に窓本体を装着する。
【００５１】
Ａ−ｃ：特有の作用効果等
この実施形態のサッシ枠の固定方法によれば、上記サッシ枠１の上記開口部４内への取付完了状態においては、該サッシ枠１は、上記開口部４との間の空間部９に充填され且つ発泡硬化した硬質発泡ウレタンである樹脂硬化体８の密着性及び形状保持性によって該開口部４側に強固且つ気密的に固定保持される。
【００５２】
また、上記サッシ枠１の上記開口部４内への嵌装状態においては、上記開口部４の左右の側壁面４ｃの上部寄り位置に設けた上記釘体５が上記サッシ枠１の左右両側面に設けた溝部２内に進入しており、該サッシ枠１がその厚さ方向（窓の内外方向）へ移動する場合に該釘体５が上記溝部２の幅方向の両側に位置する側壁部２ｂに係合し、該サッシ枠１のそれ以上の移動が規制される状態となっている。
【００５３】
したがって、上記サッシ枠１と上記開口部４との空間部に発泡性樹脂を充填し且つこれを発泡硬化させて樹脂硬化体８を形成し、該樹脂硬化体８によって該サッシ枠１を該開口部４側に固定保持した状態においては、例えば、建物の火災によって、上記樹脂硬化体８が溶融して上記サッシ枠１に対する固定保持機能が消滅した場合、該サッシ枠１は、該樹脂硬化体８の溶融進行に伴って自重降下し、上記開口部４の下側内面４ｂ上に当接することでそれ以上の降下が阻止され、また上記サッシ枠１の上部寄り位置においては上記釘体５と上記溝部２の側壁部２ｂとの係合による移動規制作用によってサッシ枠１の厚さ方向への移動（傾動）が規制されることから、これらの相乗効果として、上記サッシ枠１は上記開口部４からの離脱及び落下が確実に防止され、その結果、火災時における安全性が確保される。
【００５４】
Ｂ：第２の実施形態
図７及び図８には、本願発明の第２の実施形態に係るサッシ枠の固定方法の要部を示している。この実施形態の固定方法は、その基本構成は上記第１の実施形態の固定方法と同様であって、これと異なる点は、係止部材１０の構成である。
【００５５】
即ち、上記第１の実施形態の固定方法では上記係止部材１０として上記釘体５を採用していたのに対して、この実施形態では上記係止部材１０として、図７において斜視図で示すように、所定大きさの板材をその中間位置で折曲させて固定部６ａと突出部６ｂとしたプレート体６で構成している。このプレート体６は、その制作時点においては上記固定部６ａに対して上記突出部６ｂが鎖線図示するように、鈍角の交差角をもつように屈曲形成されている（製作時形体）。
【００５６】
そして、上記プレート体６は、この製作時形体のまま、その固定部６ａを上記開口部４の側壁面４ｃに衝合させた状態で固定具１１によって固定され、しかもこの固定状態のまま、これら左右両側のプレート体６間のスペースを通して上記サッシ枠１が上記開口部４に嵌装される。即ち、製作時形体における上記プレート体６の突出量（即ち、上記突出部６ｂの先端の上記固定部６ａからの距離）は、上記開口部４内に上記サッシ枠１を嵌装するとき該サッシ枠１の左右両側に設けた上記溝部２の側壁部２ｂと干渉しないような寸法に設定されている。
【００５７】
したがって、上記開口部４の側壁面４ｃに上記プレート体６を取り付けるだけで、それ以外の事前作業を行う必要はなく、そのまま上記サッシ枠１の嵌装作業を行うことができるものであり、この点は、上記第１の実施形態の上記釘体５においては該釘体５を上記開口部４側に取り付けた後、上記サッシ枠１の嵌装に先立って、該釘体５の開口部内方への突出量を減じるようにこれを屈曲変形させるという事前作業を必要とするものとは相違している。
【００５８】
さらに、上記プレート体６が取り付けられた状態で上記開口部４内に上記サッシ枠１を嵌装し、その両側枠部１ｃにそれぞれ設けられた上記各溝部２を、上記開口部４の左右の側壁面４ｃにそれぞれ対向させる。したがって、この状態では、上記各プレート体６は、上記サッシ枠１の溝部２にその側方から臨んだ状態となっている。
【００５９】
しかる後、上記各プレート体６の突出部６ｂを、図７に実線図示するように上方側へ屈曲変形させてその先端側を上記溝部２内に進入させる。これで上記サッシ枠１の上記開口部４への嵌装作業が終了する。この状態においては、上記サッシ枠１は上記プレート体６が上記溝部２の前後の側壁部２ｂと係合する範囲内においてのみ、その厚さ方向に移動可能とされ、それ以上の移動は規制されることになる。この場合、上記プレート体６は上記釘体５よりもその幅寸法（上記サッシ枠１の厚さ方向の寸法）が大きいため、上記第１の実施形態のように上記釘体５を用いた場合に比して、上記サッシ枠１の移動可能範囲が狭くなり、上記サッシ枠１の落下防止という点については有利である。
【００６０】
次に、上記各実施形態に場合と同様に、上記サッシ枠１の外周と上記開口部４の内周の間の空間部９内に硬質発泡ウレタンを注入充填してこれを発泡硬化させて樹脂硬化体８とし、この樹脂硬化体８によって上記空間部９を閉塞してその気密性を確保するとともに、上記サッシ枠１を上記開口部４側に固定保持させる（図７、図８参照）。以上で、上記サッシ枠１の上記開口部４に対する固定作業が完了する。
【００６１】
このように上記開口部４の側壁面４ｃに取り付けた上記プレート体６の突出部６ｂを上記サッシ枠１側の上記溝部２内に進入させた状態で、上記空間部９を硬質発泡ウレタン８で充填しこれを発泡硬化させて樹脂硬化体８とすることで、例えば、建物の火災によって、上記樹脂硬化体８が溶融して上記サッシ枠１に対する固定保持機能が消滅した場合、該サッシ枠１は、樹脂硬化体８の溶融進行に伴って自重降下し、上記開口部４の下側内面４ｂ上に当接することでそれ以上の降下が阻止され、また上記サッシ枠１の上部寄り位置においては上記プレート体６の突出部６ｂと上記溝部２の側壁部２ｂとの係合による移動規制作用によってサッシ枠１の厚さ方向への移動（傾動）が規制されることから、これらの相乗効果として、上記サッシ枠１は上記開口部４からの離脱及び落下が確実に防止され、その結果、火災時における安全性が確保される。
【００６２】
上記以外の作用効果については、上記第１の実施形態の場合と同様であるので、その該当部分を援用し、ここでの説明を省略する。
【００６３】
Ｃ：第３の実施形態
図９〜図１１には、本願発明の第３の実施形態に係るサッシ枠の固定方法の要部を示している。この実施形態の固定方法は、その基本構成は上記第１、第２の実施形態の固定方法と同様であって、これと異なる点は、係止部材１０の構成である。
【００６４】
即ち、上記第１の実施形態の固定方法では上記係止部材１０として上記釘体５を採用し、上記第２の実施形態の固定方法では上記係止部材１０として上記プレート体６を採用していたのに対して、この実施形態では上記係止部材１０として、図９に斜視図で示すように、所定大きさの二枚の板材をヒンジ７ｃで連結し、その一方の板材を固定部７ａ、他方の板材を展開部７ｂとしたヒンジ体７で構成している。そして、このヒンジ体７は、上記固定部７ａが上記ヒンジ７ｃから上方へ立ち上がるように立てた姿勢で、該固定部７ａを上記開口部４の側壁面４ｃに衝合させ且つこれを固定具１１によって固定することで該開口部４側に取り付けられる。
【００６５】
そして、この取り付け状態において、上記展開部７ｂは、図１０に鎖線図示するように、上記ヒンジ７ｃから上方へ立ち上がって上記固定部７ａの前面に当接した状態で保持された「退避位置」と、同図の実線図示するように、上記ヒンジ７ｃを中心として前方へ展開し、上記サッシ枠１が上記開口部４内に嵌装された状態では該サッシ枠１の上記溝部２内に進入しその底面部２ａに当接して傾斜状態で姿勢保持される「展開位置」の間で姿勢変更可能とされる。
【００６６】
したがって、上記ヒンジ体７は、上記「退避位置」においては、上記開口部４内への上記サッシ枠１の嵌装を許容する一方、上記「展開位置」においては、上記開口部４内に嵌装された上記サッシ枠１側の上記溝部２の側壁部２ｂと側サッシ枠１の厚さ方向において係合し該サッシ枠１の厚さ方向への移動を所定範囲内で規制するように機能する。
【００６７】
上記サッシ枠１の上記開口部４への嵌装作業は、先ず、上記ヒンジ体７を「退避位置」に設定し、その状態で、上記開口部４内に上記サッシ枠１を嵌装し、上記各溝部２を上記開口部４の左右の側壁面４ｃにそれぞれ対向させる。したがって、この状態では、上記各ヒンジ体７は、上記サッシ枠１の溝部２にその側方から臨んだ状態となっている。
【００６８】
しかる後、上記ヒンジ体７の展開部７ｂを上記「退避位置」から前方へ展開させて上記溝部２側に進入させ、これを該溝部２の底面部２ａに当接させる。これで上記サッシ枠１の上記開口部４への嵌装作業が終了する。
【００６９】
この状態においては、上記サッシ枠１は上記ヒンジ体７の展開部７ｂが上記溝部２の前後の側壁部２ｂと係合する範囲内においてのみ、その厚さ方向に移動可能とされ、それ以上の移動は規制されることになる。この場合、上記ヒンジ体７は上記第１の実施形態における上記釘体５よりもその幅寸法（上記サッシ枠１の厚さ方向の寸法）が大きいため、該釘体５を用いた場合に比して、上記サッシ枠１の移動可能範囲が狭くなり、上記サッシ枠１の落下防止という点については有利である。
【００７０】
また、上記ヒンジ体７の展開部７ｂは、展開方向に搖動可能で且つ上記溝部２の底面部２ａへの当接によって展開角度が規定される構成であるから、例えば、上記開口部４内への上記サッシ枠１の嵌装作業において該サッシ枠１を左右方向へずらせて位置決めをする場合には、この窓枠１の左右方向へのずれが上記展開部７ｂの搖動によって吸収され、該展開部７ｂと上記溝部２の側壁部２ｂとの係合状態が良好に維持され、該サッシ枠１の移動規制作用が損なわれることはない。
【００７１】
次に、上記各実施形態に場合と同様に、上記サッシ枠１の外周と上記開口部４の内周の間の空間部９内に硬質発泡ウレタンを注入充填してこれを発泡硬化させて樹脂硬化体８とし、この樹脂硬化体８によって上記空間部９を閉塞してその気密性を確保するとともに、上記サッシ枠１を上記開口部４側に固定保持させる（図１０、図１１参照）。以上で、上記サッシ枠１の上記開口部４に対する固定作業が完了する。
【００７２】
このように上記開口部４の側壁面４ｃに取り付けた上記ヒンジ体７の展開部７ｂを上記サッシ枠１側の上記溝部２内に進入させた状態で、上記空間部９を硬質発泡ウレタン８で充填しこれを発泡硬化させて樹脂硬化体８とすることで、例えば、建物の火災によって、上記樹脂硬化体８が溶融して上記サッシ枠１に対する固定保持機能が消滅した場合、該サッシ枠１は、樹脂硬化体８の溶融進行に伴って自重降下し、上記開口部４の下側内面４ｂ上に当接することでそれ以上の降下が阻止され、また上記サッシ枠１の上部寄り位置においては上記ヒンジ体７の展開部７ｂと上記溝部２の側壁部２ｂとの係合による移動規制作用によってサッシ枠１の厚さ方向への移動（傾動）が規制され、これらの相乗効果として、上記サッシ枠１は上記開口部４からの離脱及び落下が確実に防止され、その結果、火災時における安全性が確保される。
【００７３】
上記以外の作用効果については、上記第１の実施形態の場合と同様であるので、その該当部分を援用し、ここでの説明を省略する。
【００７４】
Ｄ：第４の実施形態
図１２には、本願発明の第４の実施形態に係るサッシ枠の固定方法の要部を示している。この実施形態の固定方法は、その基本構成は上記第１〜第３の実施形態の固定方法と同様であって、これと異なる点は、上記開口部４の左右の側壁面４ｃのそれぞれに設けられる係止部材１０の構成である。
【００７５】
上記各実施形態においては、上記開口部４の左右の側壁面４ｃのそれぞれに設けられる係止部材１０として同種構造の部材を採用していた。即ち、第１の実施形態では左右の側壁面４ｃのそれぞれに係止部材１０として上記釘体５を取り付け、第２の実施形態では左右の側壁面４ｃのそれぞれに係止部材１０として上記プレート体６を取り付け、第３の実施形態では左右の側壁面４ｃのそれぞれに係止部材１０として上記ヒンジ体７を取り付けていた。
【００７６】
これに対して、この実施形態では、上記開口部４の一方の側壁面４ｃに設けられる係止部材１０と他方の側壁面４ｃに設けられる係止部材１０を異なる構造の部材で構成している。具体的には、図１２に示すように、上記開口部４の一方の側壁面４ｃには、第２の実施形態において用いた上記プレート体６を取り付け、他方の側壁面４ｃには第３の実施形態において用いた上記ヒンジ体７を取り付けたものである。
【００７７】
そして、上記開口部４への上記サッシ枠１の嵌装時には、同図に鎖線図示するように、上記プレート体６はその突出部６ｂが上記サッシ枠１の側縁位置よりも側壁面４ｃ寄りに位置するように該突出部６ｂを屈曲変形させており、また上記ヒンジ体７はその展開部７ｂが上記サッシ枠１の側縁位置よりも側壁面４ｃ寄りに位置するように該展開部７ｂを「退避位置」に設定している。この状態で、上記開口部４内に上記サッシ枠１が嵌装される。
【００７８】
上記開口部４への上記サッシ枠１の嵌装完了状態においては、上記プレート体６は上記サッシ枠１の一方の側部の溝部２に臨んでおり、上記ヒンジ体７は上記サッシ枠１の他方の側部の溝部２に臨んでいる。この状態で、上記プレート体６は、これを屈曲変形させてその突出部６ｂを上記溝部２内に進入させる。また、上記ヒンジ体７は、その展開部７ｂを「退避位置」から前方へ（開口部内方へ）展開させて上記溝部２内に進入させる。
【００７９】
しかる後、上記各実施形態に場合と同様に、上記サッシ枠１の外周と上記開口部４の内周の間の空間部９内に硬質発泡ウレタンを注入充填してこれを発泡硬化させて樹脂硬化体８とし、この樹脂硬化体８によって上記空間部９を閉塞してその気密性を確保するとともに、上記サッシ枠１を上記開口部４側に固定保持させる。以上で、上記サッシ枠１の上記開口部４に対する固定作業が完了する。
【００８０】
このように、上記開口部４の左右の側壁面４ｃにそれぞれ取り付けた上記プレート体６の突出部６ｂと上記ヒンジ体７の展開部７ｂを上記サッシ枠１側の上記溝部２内にそれぞれ進入させた状態で、上記空間部９を硬質発泡ウレタン８で充填しこれを発泡硬化させて樹脂硬化体８とすることで、例えば、建物の火災によって、上記樹脂硬化体８が溶融して上記サッシ枠１に対する固定保持機能が消滅した場合、該サッシ枠１は、樹脂硬化体８の溶融進行に伴って自重降下し、上記開口部４の下側内面４ｂ上に当接することでそれ以上の降下が阻止される一方、上記サッシ枠１の上部寄り位置においては上記プレート体６の突出部６ｂと上記溝部２の側壁部２ｂとの係合、及び上記ヒンジ体７の展開部７ｂと上記溝部２の側壁部２ｂとの係合によって上記サッシ枠１の厚さ方向への移動（傾動）が規制されることから、これらの相乗効果として、上記サッシ枠１は上記開口部４からの離脱及び落下が確実に防止され、その結果、火災時における安全性が確保される。
【００８１】
上記以外の作用効果については、上記第１の実施形態の場合と同様であるので、その該当部分を援用し、ここでの説明を省略する。
【００８２】
なお、この実施形態では、左右の係止部材１０を、上記プレート体６と上記ヒンジ体７の組み合わせとして構成しているが、本願発明はこれに限定されるものではなく、例えば、左右の係止部材１０を第１の実施形態において用いた上記釘体５と上記ヒンジ体７の組み合わせとして構成することもできる。
【００８３】
Ｅ：第５の実施形態
図１３には、本願発明の第５の実施形態に係るサッシ枠の固定方法の実施に供されるサッシ枠１とコンクリート壁３に設けられた開口部４との相対関係を示している。このサッシ枠１は、例えば、掃出し窓の窓枠として使用される縦長大型のサッシ枠であって、その基本構成は上記各実施形態におけるサッシ枠１と同じであって、その大きさのみが異なるものであり、上記各実施形態の場合と同様に、上記開口部４内に該サッシ枠１を嵌装した状態においては、該開口部４の側壁面４ｃに設けた係止部材１０を上記サッシ枠１の溝部２内に進入させ、該サッシ枠１に厚さ方向への移動を該係止部材１０と上記溝部２の側壁部２ｂとの係合によって規制するものである。
【００８４】
そして、この実施形態の固定方法の特徴点は、上記開口部４の側壁面４ｃに取り付けた係止部材１０に対して事後的に屈曲変形等の操作を加えることなく上記サッシ枠１の嵌装を可能としてその嵌装作業の簡略化、迅速化を図った点である。そして、この固定方法が成立するための前提事項は、大型のサッシ枠１に特有の捩り変形の許容性である。
【００８５】
即ち、図１３に示す大型のサッシ枠１Ａにおいて、その上部の両隅部分にそれぞれ逆方向の外力Ｆを加えて捩ると、この捩り力を受けて該サッシ枠１の各辺の接合部が少しずつずれて、サッシ枠１Ｂのように、全体としてサッシ枠１の幅方向の中心線を軸とする捩り変形を起こす。そして、このような捩り変形を起こすと、サッシ枠の幅寸法（サッシ枠厚さ方向に直交する面上における左右の溝部２の側壁部２ｂの外端縁間の寸法）が変化し、捩り変形前のサッシ枠１Ａにおいてはその幅寸法が「Ｌ１」であったのに対して、捩り変形後のサッシ枠１Ｂにおいては上記「Ｌ１」よりも小さい幅寸法「Ｌ２」となる。このようなサッシ枠１の捩り変形による幅寸法の変化を利用して該サッシ枠１を上記開口部４内に嵌装するものである。以下、このサッシ枠１の上記開口部４への嵌装作業を説明する。
【００８６】
先ず、この実施形態においては、上記係止部材１０として第１の実施形態において使用した上記釘体５と、第２の実施形態で使用した上記プレート体６の何れも使用できるが、ここでは上記プレート体６を採用している。この場合、上記プレート体６は、図１３に拡大図示するように、固定部６ａと突出部６ｂが略直交する形体とされている。そして、このプレート体６を、上記開口部４の左右の側壁面４ｃの上部位置に固定し、その突出部６ｂを開口部内方へ突出させる（図１４、図１５参照）。このプレート体６は、この取り付け状態のまま使用され、事後的に屈曲変形等の加工操作が行われることはなく、この事後的な加工操作が省略される分だけ、サッシ枠１の嵌装作業における作業性が向上する。
【００８７】
次に、上記サッシ枠１に捩り力を加えて捩り変形を起こさせた状態（図１３のサッシ枠１Ｂの状態）で、該サッシ枠１を上記開口部４内に差し入れる。すると、上述のように上記サッシ枠１は捩り変形によってその幅寸法が小さくなっているため、図１４に示すように、該サッシ枠１はその上記溝部２の側壁部２ｂが上記プレート体６と干渉することなく、該プレート体６の先端部をすり抜けて上記開口部４内に差し入れられ、上記溝部２が上記プレート体６に臨むことになる。
【００８８】
上記プレート体６が上記溝部２に臨んだ時点で、該サッシ枠１に加えていた捩り力を解除すると、該サッシ枠１は当初形体に復帰し、その幅寸法が増加し、図１５に示すように、上記プレート体６の突出部６ｂは上記溝部２内に進入し、該溝部２の側壁部２ｂとサッシ枠厚さ方向において係合可能な状態とされる。以上で、上記サッシ枠１の上記開口部４への嵌装作業が完了する。
【００８９】
したがって、後は、上記各実施形態の場合と同様に、上記開口部４の内面と上記サッシ枠１の外周面との間の空間部９に硬質発泡ウレタンを注入充填してこれを発泡硬化させて樹脂硬化体８とし、この樹脂硬化体８によって上記空間部９を閉塞してその気密性を確保するとともに、上記サッシ枠１を上記開口部４側に固定保持させる。以上で、上記サッシ枠１の上記開口部４に対する固定作業が完了する。
【００９０】
このように上記開口部４の側壁面４ｃに取り付けた上記プレート体６を上記サッシ枠１側の上記溝部２内に進入させた状態で、上記空間部９を硬質発泡ウレタン８で充填しこれを発泡硬化させて樹脂硬化体８とすることで、例えば、建物の火災によって、上記樹脂硬化体８が溶融して上記サッシ枠１に対する固定保持機能が消滅した場合、該サッシ枠１は、樹脂硬化体８の溶融進行に伴って自重降下し、上記開口部４の下側内面４ｂ上に当接することでそれ以上の降下が阻止され、また上記サッシ枠１の上部寄り位置においては上記プレート体６と上記溝部２の側壁部２ｂとの係合による移動規制作用によってサッシ枠１の厚さ方向への移動（傾動）が規制され、これらの相乗効果として、上記サッシ枠１は上記開口部４からの離脱及び落下が確実に防止され、その結果、火災時における安全性が確保される。
【００９１】
上記以外の作用効果については、上記第１の実施形態の場合と同様であるので、その該当部分を援用し、ここでの説明を省略する。
【００９２】
Ｆ：その他
（１）上記各実施形態においては、サッシ枠１として、窓用のサッシ枠を例にとって説明したが、本願発明はこれに限定されるものではなく、例えば、扉用のサッシ枠の固定作業にも適用できるものである。
【００９３】
（２）上記各実施形態においては、上記係止部材１０として、釘体５、プレート体６及びヒンジ体７を採用した場合について説明したが、これに限定されるものではなく、少なくとも耐熱性を有し、且つ上記サッシ枠１の上記開口部４への嵌装状態において該サッシ枠１の上記溝部２の側壁部２ｂと係合し得る構造のものであれば適用可能である。
【産業上の利用可能性】
【００９４】
本願発明に係るサッシ枠の固定方法は、建築分野において、主として新築建物に対するサッシ枠の取り付け工事に利用されるものである。
【符号の説明】
【００９５】
１  ・・サッシ枠
２  ・・溝部
３  ・・コンクリート壁（躯体）
４  ・・開口部
５  ・・釘体
６  ・・プレート体
７  ・・ヒンジ体
８  ・・樹脂硬化体
９  ・・空間部
１０  ・・係止部材
１１  ・・固定具
【図１】
2015214860.tif 000003
【図２】
2015214860.tif 000004
【図３】
2015214860.tif 000005
【図４】
2015214860.tif 000006
【図５】
2015214860.tif 000007
【図６】
2015214860.tif 000008
【図７】
2015214860.tif 000009
【図８】
2015214860.tif 000010
【図９】
2015214860.tif 000011
【図１０】
2015214860.tif 000012
【図１１】
2015214860.tif 000013
【図１２】
2015214860.tif 000014
【図１３】
2015214860.tif 000015
【図１４】
2015214860.tif 000016
【図１５】
2015214860.tif 000017